(57)【特許請求の範囲】
【請求項１】
被写体の光学像である被写体像が記録される第１の記録領域と、この第１の記録領域とは異なる位置に設けられた第２の記録領域とを有する感光性の記録媒体と、
撮影時における前記被写体の複数の色成分の比を測定する撮影条件測定手段と、
前記第１及び第２の記録領域を露光する光源と、
前記第１及び第２の記録領域に記録された前記被写体像及び前記複数の色成分の比を読み出す読出手段と、
前記被写体像の撮影時、前記撮影条件測定手段の測定結果に基づいて前記光源を駆動制御し、前記複数の色成分の比を前記第２の記録領域に記録し、前記読出手段が前記被写体像及び前記複数の色成分の比を読み出すとき、前記光源を駆動制御し、前記記録媒体に照明光を供給する制御手段とを備え、
前記読出手段は、前記第２の記録領域に記録された前記複数の色成分の比に基づいて、前記第１の記録領域に記録された前記被写体像の読出し時の電荷蓄積時間を決定し、前記被写体像を読み出すことを特徴とする画像入力装置。
【請求項２】
前記第１の記録領域が、前記複数の色成分毎に前記被写体像を記録する複数の記録部を有することを特徴とする請求項１に記載の画像入力装置。
【請求項３】
前記読出手段が、前記光源が対向可能な位置に配置されたラインセンサと、前記光源および前記ラインセンサと前記記録媒体とを相対移動させる移動手段とを有することを特徴とする請求項１に記載の画像入力装置。
【請求項４】
前記光源は、複数の発光素子を有し、前記制御手段は、前記複数の色成分の比に応じて前記複数の発光素子の点灯または消灯をそれぞれ制御することを特徴とする請求項１に記載の画像入力装置。
【請求項５】
前記記録媒体が、前記被写体像を可視像として電子的に保持し得る電子現像型の記録媒体であることを特徴とする請求項１に記載の画像入力装置。
【請求項６】
色分解光学系により分解された複数の色成分毎の被写体像がそれぞれ記録される複数の記録部を具備する第１の記録領域と、この第１の記録領域とは異なる位置に設けられた第２の記録領域とを有する記録媒体と、
複数の発光素子を有する光源と、
前記複数の色成分毎の前記被写体像を前記第１の記録領域の前記複数の記録部に記録する画像記録手段と、
この画像記録手段による記録時に、前記被写体像の前記複数の色成分の比を前記複数の発光素子の点灯と消灯の組み合わせにより前記第２の記録領域に記録する色成分比記録手段と、
前記光源を点灯させて前記第１の記録領域の前記複数の記録部に照明し、前記複数の記録部に記録された前記被写体像を読み出す画像読出手段と、
この画像読出手段による読出時に、前記第２の記録領域から前記複数の色成分の比を読み出す色成分比読出手段とを備え、
前記画像読出手段は、前記第２の記録領域から読み出された前記複数の色成分の比に基づいて、前記第１の記録領域の前記複数の記録部の前記被写体像のそれぞれの読出し時の電荷蓄積時間を決定し、前記被写体像を読み出すことを特徴とする画像入力装置。
【請求項７】
前記色成分比読出手段及び前記画像読出手段は同一のラインセンサを有し、前記色成分比読出手段は前記ラインセンサにより前記第２の記録領域から前記複数の色成分の比を読出し、前記画像読出手段は、前記複数の色成分の比に基づいて、前記複数の色成分のうち相対的に大きい比率を占めることが前記複数の色成分の比から判断される色成分の前記被写体像を読み出すときの前記ラインセンサの電荷蓄積時間を相対的に短く設定することを特徴とする請求項６に記載の画像入力装置。
【発明の詳細な説明】
【０００１】
【発明の属する技術分野】
本発明は、感光性の記録媒体を使用する画像入力装置に関し、特に複数の色成分の比等の撮影条件に関する情報を記録媒体に記録する画像入力装置に関する。
【０００２】
【従来の技術】
従来、撮像レンズにより得られた光学像を光情報として電子的に現像することができる写真材料が知られており、例えば特開平５−２２８０号公報には、静電情報記録媒体と電荷保持媒体とを組み合わせた記録媒体が開示されている。この明細書では、このような記録媒体を電子現像型記録媒体と呼ぶ。
【０００３】
上記公報に記載された電子現像型記録媒体において、静電情報記録媒体は光導電層と無機酸化物層を有し、電荷保持媒体は液晶表示素子を有している。この構成では、静電情報記録媒体と電荷保持媒体に電圧が印加された状態で静電情報記録媒体が露光されると、入射光量に応じた電荷が静電情報記録媒体に生成される。静電情報記録媒体に対向して配置された液晶表示素子にかかる電界の強さは、その生成電荷に応じて変化するので、液晶表示素子には光量分布に応じた画像が表示すなわち現像される。
【０００４】
【発明が解決しようとする課題】
このような光量分布に応じた画像が記録される感光性の記録媒体を用いたものでは、高精細な画像を得ることはできるが、その記録媒体に複数の色成分の比等の撮影条件に関する情報を記録することができない。撮影条件の情報を記録するための記録媒体を別途設けることも考えられるが、構成が複雑になるとともにコスト高となり、好ましくない。
【０００５】
本発明は、撮像された被写体像を感光性の記録媒体に記録し、さらに撮影条件の情報をその記録媒体に記録できる、簡単な構成を有する画像入力装置を提供することを目的としている。
【０００６】
【課題を解決するための手段】
本発明に係る画像入力装置は、被写体の光学像である被写体像が記録される第１の記録領域と、この第１の記録領域とは異なる位置に設けられた第２の記録領域とを有する感光性の記録媒体と、撮影時における被写体の複数の色成分の比を測定する撮影条件測定手段と、第１及び第２の記録領域を露光する光源と、第１及び第２の記録領域に記録された被写体像及び複数の色成分の比を読み出す読出手段と、被写体像の撮影時、撮影条件測定手段の測定結果に基づいて光源を駆動制御し、複数の色成分の比を第２の記録領域に記録し、読出手段が被写体像及び複数の色成分の比を読み出すとき、光源を駆動制御し、記録媒体に照明光を供給する制御手段とを備え、読出手段は、第２の記録領域に記録された複数の色成分の比に基づいて、第１の記録領域に記録された被写体像の読出し時の電荷蓄積時間を決定し、被写体像を読み出すことを特徴としている。
【０００７】
第１の記録領域が、複数の色成分毎に被写体像を記録する複数の記録部を有するものであってもよい。
【０００８】
画像読出手段は例えば、光源が対向可能な位置に配置されたラインセンサと、光源およびラインセンサと記録媒体とを相対移動させる移動手段とを有する。
【０００９】
光源が複数の発光素子を有するものである場合、制御手段は、複数の色成分の比に応じて複数の発光素子の点灯または消灯をそれぞれ制御する。
【００１０】
記録媒体は例えば、被写体像を可視像として電子的に保持し得る電子現像型の記録媒体である。
【００１１】
また本発明に係る画像入力装置は、色分解光学系により分解された複数の色成分毎の被写体像がそれぞれ記録される複数の記録部を具備する第１の記録領域と、この第１の記録領域とは異なる位置に設けられた第２の記録領域とを有する記録媒体と、複数の発光素子を有する光源と、複数の色成分毎の被写体像を第１の記録領域の複数の記録部に記録する画像記録手段と、この画像記録手段による記録時に、被写体像の複数の色成分の比を複数の発光素子の点灯と消灯の組み合わせにより第２の記録領域に記録する色成分比記録手段と、光源を点灯させて第１の記録領域の複数の記録部に照明し、複数の記録部に記録された被写体像を読み出す画像読出手段と、この画像読出手段による読出時に、第２の記録領域から複数の色成分の比を読み出す色成分比読出手段とを備え、画像読出手段は、第２の記録領域から読み出された複数の色成分の比に基づいて、第１の記録領域の複数の記録部の被写体像のそれぞれの読出し時の電荷蓄積時間を決定し、被写体像を読み出すことを特徴としている。
【００１２】
この画像入力装置において、色成分比読出手段及び画像読出手段は同一のラインセンサを有し、色成分比読出手段はラインセンサにより第２の記録領域から複数の色成分の比を読出し、画像読出手段は、この複数の色成分の比に基づいて、複数の色成分のうち相対的に大きい比率を占めることが複数の色成分の比から判断される色成分の被写体像を読み出すときのラインセンサの電荷蓄積時間を相対的に短く設定するものであってもよい。
【００１３】
【発明の実施の形態】
以下、本発明の実施の形態を図面を参照して説明する。
図１は本発明の一実施形態を適用したスチルビデオカメラの外観図である。このスチルビデオカメラは電子現像型の画像入力装置であり、感光性の電子現像型記録媒体によって画像を現像するように構成されている。
【００１４】
カメラ本体１１を前方から見ると、前面の略中央には複数の撮像レンズ等を備えた撮像光学系１２が設けられ、撮像光学系１２の右上方にはストロボ１３および測色センサ１８が配設されている。またストロボ１３とは反対側にはレリーズスイッチ１４が設けられ、これを半押しすると、測距動作および測色センサ１８の測色値等に基づいて測色動作が行われ、また全押しすると、撮像動作が行われる。
【００１５】
被写体観察用のファインダ１５はカメラ本体１１の上面の中央部に設けられ、スキャンスタートスイッチ１６等の操作スイッチはファインダ１５の側方に設けられている。カメラ本体１１の側方には記録媒体挿入口１９が設けられ、この記録媒体挿入口１９より電子現像型記録媒体３０（図２）が挿入、排出される。またこのカメラにより得られた画像信号を外部に出力するため、記録媒体挿入口１９近傍には出力端子１７が設けられる。
【００１６】
図２および図３は本スチルビデオカメラの構成を示す図である。
システムコントロール回路２０は、マイクロコンピュータであり、本カメラ全体の制御を行う。システムコントロール回路２０には、レリーズスイッチ１４およびスキャンスタートスイッチ１６が接続され、これらのスイッチ１４、１６の操作に従って、撮像動作および画像信号の読み出し動作等が行われる。またシステムコントロール回路２０には、このスチルビデオカメラの種々の設定状態等を表示するための表示素子６８と、ストロボ１３の発光制御を行うためのストロボ駆動回路６９が接続されている。
【００１７】
撮像光学系１２には絞り１２ａが設けられ、撮像光学系１２の後方には電子現像型記録媒体３０が設けられる。電子現像型記録媒体３０はスキャナ系駆動モータ４６の駆動により図において上下方向に移動可能であり、スキャナ系駆動モータ４６はシステムコントロール回路２０から出力される指令信号に従って動作する。
【００１８】
電子現像型記録媒体３０は、マスク部材によって区画された赤（Ｒ）、緑（Ｇ）、青（Ｂ）の各色成分毎の画像が記録される３つの記録部を有する第１記録領域３０ａと、撮影条件の情報が記録される第２記録領域３０ｂとを有し、これらは電子現像型記録媒体３０の長手方向に沿って配置されている。
【００１９】
なお図２および図３では第１記録領域３０ａが撮像光学系１２の後方に配置しており、このときの電子現像型記録媒体３０の位置を本実施形態では撮像位置という。
【００２０】
撮像光学系１２と電子現像型記録媒体３０の間には色分解光学系２９が設けられる。色分解光学系２９では、撮像光学系１２からの光束が各赤（Ｒ）、緑（Ｇ）、青（Ｂ）の色光成分毎の３光束に分解されるとともに、各光束が同一平面上に結像するようにその光路長が補正され、これにより第１記録領域３０ａの各記録部にそれぞれ所定の色光成分毎の被写体像が形成される。
【００２１】
撮像光学系１２と色分解光学系２９の間にはクイックリターンミラー２１が設けられ、クイックリターンミラー２１の上方にはファインダ光学系２３のピント板２３ａが配設されている。なお図２では、ファインダ光学系２３はクイックリターンミラー２１の側方に位置するように示されているが、実際にはクイックリターンミラー２１の直上に位置している。シャッタ２２は色分解光学系２９の後方に設けられ、電子現像型記録媒体３０が撮像位置に定められているとき、第１記録領域３０ａがシャッタ２２の後方に配置される。
【００２２】
絞り１２ａ、クイックリターンミラー２１およびシャッタ２２は、それぞれアイリス駆動回路２４、ミラー駆動回路２５およびシャッタ駆動回路２６によって駆動され、これらの回路２４、２５、２６は露出制御回路２７により制御される。露出制御回路２７はシステムコントロール回路２０から出力される指令信号に従って動作する。
【００２３】
露出制御時、測光センサ２８からの出力信号に基づく露出制御回路２７の制御に従って、絞り１２ａはアイリス駆動回路２４により開度を調整される。クイックリターンミラー２１は通常、被写体観察位置（傾斜状態）に定められ、撮像光学系１２を通過した光をファインダ光学系２３に導いているが、撮像動作時、露出制御回路２７の制御に従い、ミラー駆動回路２５によって上方に回動せしめられ退避位置（水平状態、図４参照）に定められる。
【００２４】
シャッタ２２は通常閉塞しているが、撮像動作時、露出制御回路２７の制御に従って、シャッタ駆動回路２６によって所定時間開放され、これにより色分解光学系２９を通過した各光束が第１記録領域３０ａの各記録部に結像される。
【００２５】
測色センサ１８は、透過光の分光分布が異なる赤、緑、青の色フィルタを備える複数の光電変換素子を有し、この測色センサ１８からは光電変換素子により得られる各色信号Ｒ、Ｇ、Ｂの比（Ｒ／ＧおよびＢ／Ｇ）が出力される。システムコントロール回路２０には、測色センサ１８から入力されるＲ／ＧおよびＢ／Ｇにおける複数の色成分の比との対応を示す色成分比信号化テーブルＴが記憶されており、このテーブルＴを利用して周囲光の色成分比が求められ、撮影画像のホワイトバランスの制御に用いられる。
【００２６】
ここで、色温度及びホワイトバランスについて簡単に説明する。
例えば、一様な白い被写体を撮影した場合、撮像素子から得られるＲ成分、Ｇ成分、Ｂ成分の出力の割合は、被写体を照明する照明光の色温度によって変化する。例えば、色温度の低い照明光によると、Ｒ成分の出力の割合が大きくなり、本来は白い被写体が赤みがかった被写体となってしまう。このような照明光の色温度の違いによらずに本来の色を再現させる目的で、Ｇ成分とＲ成分との比Ｒ／Ｇ及びＧ成分とＢ成分との比Ｂ／Ｇ信号を得て、この信号に基づいて、映像中に多く含まれる一方の色成分信号の増幅度を抑えるとともに、少ない他方の色成分信号の増幅度を大きくして両者のバランスをとって、ホワイトバランスを調整する。
【００２７】
本実施形態では、複数の色成分の比に基づくホワイトバランスの調整は、電子現像型記録媒体に記録された各色成分毎の画像をラインセンサで読みとる際のラインセンサの露光時間（電荷蓄積時間）を変化させて行っている。例えば、照明光の色温度が相対的に低い場合には、被写体像が赤みがかるのを防止すべく、Ｒ成分の画像を読み出すラインセンサの露光時間を相対的に短くしている。なお、色成分信号の増幅度をそれぞれ変化させてホワイトバランス調整を行うことも可能である。
【００２８】
読み出し時に利用される、画像の複数の色成分の比を示す露光パターンは、被写体像の撮影時に、記録パターン部９１を介して第２記録領域３０ｂに記録される。すなわち記録パターン部９１は、電子現像型記録媒体３０が撮像位置に定められているときに第２記録領域３０ｂの前方に定められる位置に定められる。コリメータレンズアレイ９２は電子現像型記録媒体３０の移動方向に沿って記録パターン部９１の下方に固定される。
【００２９】
本実施形態の光源４２は、電子現像型記録媒体３０に記録された画像、情報等を読み出すときに第１記録領域３０ａおよび第２記録領域３０ｂを照射する読み出し用の光源であるとともに、第２記録領域３０ｂに撮影条件の情報を記録するための照明用光源としても兼用されている。
【００３０】
光源４２は光源駆動モータ９４の駆動により電子現像型記録媒体３０の前面に沿って移動可能であり、記録パターン部９１の前方に位置する撮像位置（図２および図３において実線で示す）と、コリメータレンズアレイ９２の前方に位置する読み出し位置（図２および図３において斜線で示す位置）とに配置可能である。光源４２のオンオフ制御は照明光源駆動回路４５により行われる。
【００３１】
光源４２が撮像位置に定められた状態で撮影動作が実行され、第１記録領域３０ａへ被写体像が記録される。またこの状態で光源４２からの光が記録パターン部９１の貫通孔（図６）を介して第２記録領域３０ｂに照射され、これにより撮影条件の情報が第２記録領域３０ｂに記録される。
【００３２】
光源４２が読み出し位置に定められた状態では、光源４２、コリメータレンズアレイ９２、スキャナ光学系４３およびラインセンサ４４は、これらの光学系の光軸が同一平面Ｐ（図３の紙面に垂直な面）上に定められるように配置される。この状態において電子現像型記録媒体３０が撮像位置より図において下方に移動すると、第２記録領域３０ｂが順次光源４２とラインセンサ４４の間に位置して平面Ｐを横切る。本実施形態ではこの平面Ｐを読出し面という。
【００３３】
光源４２からの照明はコリメータレンズアレイ９２により平行光束となり、読出し面Ｐ上に位置する電子現像型記録媒体３０に照射され、電子現像型記録媒体３０を透過した光はスキャナ光学系４３の作用によりラインセンサ４４の受光面に結像し、ラインセンサ４４から画像または情報が読み出される。
【００３４】
本実施形態では、まず第２記録領域３０ｂに記録された撮影条件の情報が読み出され、この露光パターンに基づいて第１記録領域３０ａに記録された画像情報を読み出す際の各色毎のラインセンサ４４への露光時間が制御される。
【００３５】
ラインセンサ４４としては例えば２０００画素のＣＣＤ１次元センサ等が用いられ、ラインセンサ４４に発生した画素信号の読み出し動作等の制御はラインセンサ駆動回路４７により行われる。
【００３６】
ラインセンサ４４から読み出された画素信号は、アンプ６１により増幅され、Ａ／Ｄ変換器６２によってデジタル信号に変換される。デジタルの画素信号は、システムコントロール回路２０の制御に従って、画像処理回路６３においてシェーディング補正、ドロップアウト補正およびガンマ補正等の処理を施された後、メモリ６４に一時的に格納される。
【００３７】
なお、メモリ６４はＲＡＭとＥ2 ＰＲＯＭを備えている。画像データはＲＡＭに格納され、ＲＡＭは、第１記録領域３０ａに記録されたＲ、Ｇ、Ｂの各画像の内、少なくとも２つの記録領域より読み出される全画素データを格納する記録容量を有している。Ｅ2 ＰＲＯＭにはシェーディング補正等の補正データが格納される。
【００３８】
メモリ６４から読み出された画素信号は、画像処理回路６３からインターフェイス回路６５に入力されてフォーマットの変換等の所定の処理を施され、出力端子１７を介して外部のディスプレイ装置（図示せず）等に出力可能である。また画像処理回路６３から出力された画素信号は、記録装置制御回路６６において、画像圧縮あるいはフォーマットの変換等の所定の処理を施され、画像記録装置６７において例えばＩＣメモリカード等の記録媒体に記録可能である。インターフェイス回路６５と記録装置制御回路６６はシステムコントロール回路２０からの指令信号に従って動作する。
【００３９】
図４、５は、電子現像型記録媒体３０および光源４２近傍の構成を示す斜視図である。なお、図５では説明のために記録パターン部９１およびコリメータレンズアレイ９２を実際よりも右方に示しており、実際には光源４２は記録パターン部９１とコリメータレンズアレイ９２の間を移動する。
【００４０】
電子現像型記録媒体３０の下縁部にはラック８１ａが形成され、このラック８１ａにスキャナ系駆動モータ４６のギア列４６ａに設けられたピニオン４６ｂが噛合している。スキャナ系駆動モータ４６が正転または逆転駆動することにより、電子現像型記録媒体３０が長手方向に沿って移動する。
【００４１】
光源４２は、支持枠４２ａと、この支持枠４２ａに支持された複数個の発光素子（ＬＥＤ、発光体）４２ｂとを有する。発光素子４２ｂはコリメータレンズアレイ９２の長手方向に沿って並設され、コリメータレンズアレイ９２は発光素子４２ｂの発する光束を平行光束として射出する機能を有する。なお、光源としては、電子現像型記録媒体３０の散乱特性に優れた４５０nm程度の青色波長近傍のものが好ましい。
【００４２】
ガイドレール９３は、光源４２の下端部に摺接して光源４２の移動を案内する。光源駆動モータ９４はワイヤ９４ａを介して光源４２の一端に接続し、またリターンスプリング９５は光源４２を撮像位置の方向に付勢している。ガイド９６は光源４２上部に形成された孔を貫通し、ガイドレール９３とともに光源４２の移動を案内している。
【００４３】
光源４２は、光源駆動モータ９４が正転すると図の右方向に移動してコリメータレンズアレイ９２の前方、すなわち読み出し位置に定められ、光源駆動モータ９４が逆転することによりリターンスプリング９５のバネ力により記録パターン部９１の前方、すなわち撮像位置に定められる。光源４２の読み出し位置、撮像位置の検出は不図示のフォトインタラプタにより行われる。
【００４４】
記録パターン部９１には光源４２のＬＥＤの配列に対応して複数の貫通孔９１ａが形成される。撮像位置において、各ＬＥＤが発する光は貫通孔９１ａを通過して第２記録領域３０ｂの所定位置に照射される。
【００４５】
図６は記録パターン部９１を電子現像型記録媒体３０側から見た図である。
図において貫通孔９１ａ内部に斜線が施されている部分では発光素子４２ｂが消灯しており、斜線のない部分では発光素子４２ｂが点灯していることを示している。
【００４６】
本実施形態では、測色センサ１８から出力されるＲ／Ｇ、Ｂ／Ｇ信号に基づいて複数の色成分の比が演算され、この複数の色成分の比に基づいて、画像読出し時におけるラインセンサ４４への露光時間が制御される。このため、第２記録領域３０ｂには、複数の色成分の比としてのＲ／ＧおよびＢ／Ｇの情報が記録される。すなわち第２記録領域３０ｂに記録される露光パターン（すなわち複数の色成分の比）は、光源４２の各発光素子４２ｂが照明光源駆動回路４５によりオンオフ（点灯または消灯）制御されることにより決定される。
【００４７】
光源４２は８個の発光素子（ＬＥＤ）４２ｂを有し、８bit の情報が書き込める。したがって、８bit のうち４bit をＲ／Ｇの情報を記録するために割り当て、残りの４bit をＢ／Ｇの情報を記録するために割り当てて２５６通りの露光パターンの組み合わせが可能である。
【００４８】
第２記録領域３０ｂに記録された露光パターンは第１記録領域３０ａに記録された撮影画像と同様にしてラインセンサ４４により読み取られる。
【００４９】
図７は電子現像型記録媒体３０の構成を示す図であり、これは特開平５−２２８０号公報に開示されたものと同じである。
すなわち電子現像型記録媒体３０は静電情報記録媒体３１と電荷保持媒体３２と電源３３とを備えている。静電情報記録媒体３１は、基板３４、電極層３５、無機酸化物層３６および光導電層３７を積層して成り、光導電層３７は電荷発生層３７ａと電荷輸送層３７ｂを重合させて構成される。電荷保持媒体３２は、液晶支持体３８と液晶電極層３９の間に液晶４０を封入して構成される。静電情報記録媒体３１の電荷輸送層３７ｂと電荷保持媒体３２の液晶支持体３８とは微小間隙をもって対向している。
【００５０】
電源３３は記録媒体駆動回路４１によりオンオフ制御され、電源３３がオン状態のとき、電極層３５と液晶電極層３９の間、すなわち静電情報記録媒体３１と電荷保持媒体３２に電圧が印加される。この電圧印加状態で静電情報記録媒体３１が露光されると、静電情報記録媒体３１には、画像に応じた電荷が発生する。この電荷に応じて、液晶４０に作用する電界の強さが変化するため、液晶４０には、その画像が可視像として表示され、被写体像が現像される。この電荷保持媒体３２は分散型液晶表示素子であり、現像された可視像は電界を除去しても保持される。
【００５１】
本実施形態の動作を説明する。
図８および図９〜１１は、撮像動作を示すタイミングチャートおよびフローチャートである。
【００５２】
ステップＳ１１において、レリーズスイッチ１４が押下されたことが検知されると（Ｔ１１）、ステップＳ１３、Ｓ１５において、測色センサ１８からの出力信号（Ｒ／ＧおよびＢ／Ｇ）および測光センサ２８からの出力信号（測光値）が検出され、ステップＳ１７、Ｓ１９では、これらに基づいて色成分比、露出演算が開始される（Ｔ１７、Ｔ１９）。また、レリーズスイッチ１４が押下されてから所定時間が経過した後、ステップＳ２１では記録媒体活性化信号が出力され（Ｔ２１）、これにより電源３３がオン状態となって静電情報記録媒体３１と電荷保持媒体３２に電圧が印加される。ステップＳ２３、Ｓ２５において、色成分比演算および露出演算が完了すると（Ｔ２３、Ｔ２５）、この演算結果に従って、ステップＳ２７以下において撮像動作が行われる。
【００５３】
ステップＳ２７では絞り１２ａの開度が全開状態から所定開度まで変化し、またクイックリターンミラー２１が被写体観察状態から退避状態へ移動する（Ｔ２７、Ｔ２８）。ステップＳ２９においてミラー２１の退避位置移動と絞り１２ａの開度調整が完了したことが検出されると、ステップＳ３１においてシャッタ２２が開放する（Ｔ３１）。ステップＳ３３において露出演算により求められた露出期間が経過したことが検出されると、ステップＳ３５においてシャッタ２２が閉じる（Ｔ３５）。このシャッタ２２の閉塞動作の完了に伴い、ステップＳ３７ではミラー２１を観察位置に復帰させるとともに、絞り１２ａが全開状態まで開放し（Ｔ３７、Ｔ３８）、ステップＳ３９において記録媒体活性化信号の出力が停止される（Ｔ３９）。
【００５４】
すなわち、記録媒体活性化信号は少なくともシャッタ２２が開放している間出力され、この間、電子現像型記録媒体３０に所定の電圧が印加される。そして、この状態で露光されることにより、電子現像型記録媒体３０には被写体像が可視像として現像される。この可視像は記録媒体活性化信号の出力が停止しても保持される。
【００５５】
ステップＳ４１においてミラー２１と絞り１２ａが初期状態に復帰したことが確認されると、ステップＳ４３においてミラー２１と絞り１２ａの駆動が停止される。
【００５６】
ステップＳ４５以下では、第２記録領域３０ｂのほぼ中央部Ｐｗに、複数の色成分の比を示すＲ、Ｂ信号の露光パターンが記録される。シャッタ２２の閉塞動作の完了を受けて、光源４２が撮像位置にない場合、ステップＳ４５においてリターンスプリング９５のバネ力により撮像位置への移動を開始する（Ｔ４５）。ステップＳ４７において不図示のスイッチのオンにより光源４２が撮像位置に定められたことが検出されると（Ｔ４７）、ステップＳ４９において再び記録媒体活性化信号が出力され（Ｔ４９）、静電情報記録媒体３１と電荷保持媒体３２に電圧が印加される。
【００５７】
ステップＳ５１では光源４２の各発光素子４２ｂが、システムコントロール回路２０の制御に基づいて照明光源駆動回路４５により駆動されて所定の露光パターンで点灯し、この露光パターンが第２記録領域３０ｂに記録される。ステップＳ５３において光源４２が点灯して所定時間が経過し、露出が完了すると、ステップＳ５５において光源４２が消灯し、ステップＳ５７において記録媒体活性化信号の出力が停止され（Ｔ５７）、撮像動作が終了する。
【００５８】
このように本実施形態では、簡素な構成で感光性の記録媒体の第１記録領域３０ａに撮像された被写体像が記録され、また撮影条件の情報、すなわち撮影画像の複数の色成分の比に応じた露光パターンが第１記録領域３０ａとは異なる位置に設けられた第２記録領域３０ｂに記録される。
【００５９】
図１２および図１３〜１７は、電子現像型記録媒体上の画像の読み出し動作を示すタイミングチャートおよびフローチャートである。これらの動作ルーチンは、スキャンスタートスイッチ１６が押下されることにより実行される。
【００６０】
ステップＳ２０１においてスキャナ駆動指令信号が出力されたことが確認されると（Ｔ２０１）、ステップＳ２０２において光源駆動モータ９４が駆動し、光源４２が読出し位置への移動を開始する（Ｔ２０２）。ステップＳ２０３において光源４２が読出し位置（コリメータレンズアレイ９２に対向する位置）に定められたことが不図示の読出し位置検出スイッチのオンにより確認されると（Ｔ２０３）、ステップＳ２０４において照明光源４２が点灯するとともに（Ｔ２０４）、ステップＳ２０５において記録媒体送り駆動信号が出力されてスキャナ系駆動モータ４６が正転し、電子現像型記録媒体３０が撮像位置よりラインセンサの配置されている方向（図２および図３における下方）へ移動し始めるとともに（Ｔ２０５）、ステップＳ２０６においてラインセンサ駆動電源がオン状態となる（Ｔ２０６）。
【００６１】
ステップＳ２０７において第２記録領域３０ｂの中央部Ｐｗが読出し面Ｐに達したことが検出されると、ステップＳ２０８において記録媒体送り駆動信号の出力が停止され、スキャナ系駆動モータ４６が停止される（Ｔ２０８）。この停止動作は、例えばスキャナ系駆動モータ４６を回転駆動するためのパルス信号を計数すること等によって制御される。
【００６２】
ステップＳ２１１ではラインセンサ４４に対する露出が開始され（Ｔ２１１）、電荷蓄積が行われる。 ステップＳ２１２において、例えば一定時間が経過したことを検知することにより、ラインセンサ４４の露出が完了したことが確認されると、ステップＳ２１３においてラインセンサ４４の読み出し走査が開始され、第２記録領域３０ｂに記録されていた露光パターンの信号の出力が開始されるとともに（Ｔ２１３）、ステップＳ２１４ではスキャナ系駆動モータ４６を正転させる記録媒体送り駆動信号が出力されて（Ｔ２１４）、電子現像型記録媒体３０がさらにラインセンサ側へ移動する。
【００６３】
読み出された複数の色成分の比を示す露光パターンの信号は、所定の処理を経てメモリ６４に格納される。この信号は、Ｒ／Ｇ及びＢ／Ｇのデータにデコードされ、後述するＲ画像及びＢ画像をラインセンサにて読み取る際のラインセンサの露光量（電荷蓄積時間）の設定に利用される。
【００６４】
電子現像型記録媒体３０の移動中において、ステップＳ２１５においてラインセンサ４４の読み出し走査が終了したことが確認されると、ステップＳ２１６においてその読み出し走査が停止される（Ｔ２１６）。なお、この読み出し走査の終了は、例えばラインセンサ駆動回路４７から出力されるラインセンサ４４を駆動するためのパルス信号を計数することにより制御される。ステップＳ２１５において読み出し走査の終了が確認されなかった場合、ステップＳ２１６がスキップされてステップＳ２１７が実行され、電子現像型記録媒体３０の移動により第１記録領域３０ａのＲ画像の最初に読み出される主走査線ＰＲが読出し面Ｐに達したか否かが判定される。Ｒ画像の最初の主走査線ＰＲが読出し面Ｐに達していない場合、ステップＳ２１５〜Ｓ２１７が再び実行される。
【００６５】
ステップＳ２１７においてＲ画像の最初の主走査線ＰＲ（図４参照）が読出し面Ｐに達したことが検出されると、ステップＳ２１８において記録媒体送り駆動信号の出力が停止され、スキャナ系駆動モータ４６が停止される（Ｔ２１８）。この停止動作は、例えばスキャナ系駆動モータ４６を回転駆動するためのパルス信号を計数すること等によって制御される。ここで主走査方向はラインセンサ４４の長手方向であり、副走査方向は電子現像型記録媒体３０の移動方向である。次いでステップＳ２１９において、ラインセンサ４４の読み出し走査の終了が確認され、ステップＳ２２０において読み出し走査が停止される。すなわち、ステップＳ２１６を実行することなくステップＳ２１５〜Ｓ２１７のループを抜けた場合であっても、ステップＳ２２０においてラインセンサ４４の読み出し走査が終了する。
【００６６】
ステップＳ２２１では、ステップＳ２０７〜Ｓ２１６で第２記録領域３０ｂ上の複数の色成分の比を示す露光パターンから解読したＲ／Ｇの値に基づいてラインセンサ４４のＲ成分画像読み取り時の１ライン分の露光量（電荷蓄積時間）が設定される（Ｔ２２１）。
【００６７】
なお、露光量の設定は、Ｇ成分の適正露光量を基準として、複数の色成分の比から比率が大きいと判断されるものほど露光時間を短くするようになっており、例えばＲ／Ｇ＞Ｂ／Ｇである場合、Ｒ成分画像が記録されている第１記録領域３０ａ上のラインセンサ４４の電荷蓄積時間は、Ｂ成分の電荷蓄積時間よりも短く設定され、画像信号は既にホワイトバランス調整がなされた状態でラインセンサ４４から出力される。
【００６８】
ステップＳ２３１ではラインセンサ４４に対する露出が開始され（Ｔ２３１）、１主走査線分の電荷蓄積が行われる。ステップＳ２３２では、ステップＳ２２１において設定されたＲ画像の露出量に相当する所定時間が経過したことが確認され、露出が完了したことが確認されると（Ｔ２３２）、ステップＳ２３３において読み出し走査が開始され、Ｒ画像に対応する画素信号の出力が開始され、メモリ６４へ格納される（Ｔ２３３）。ステップＳ２３４ではスキャナ系駆動モータ４６を正転させる記録媒体送り駆動信号が出力されて（Ｔ２３４）、電子現像型記録媒体３０がさらに下降する。
【００６９】
以下、ステップＳ２１５〜Ｓ２２０と同様にしてステップＳ２３５〜Ｓ２４０が実行される。すなわちステップＳ２３３ではラインセンサ４４に蓄積された電荷が読み出され（Ｔ２３３）、またステップＳ２３８では電子現像型記録媒体３０が所定量移動して次の走査線位置で停止する（Ｔ２３８）。なお、ステップＳ２３７では、電子現像型記録媒体３０の移動によりラインセンサ４４が次の主走査線の位置すなわち次の読み出し位置に定められたか否かが判定される。
【００７０】
ステップＳ２４１ではＲ画像の全主走査線（全ライン）に関する読み出し動作が完了したか否か、すなわち、Ｒ画像が記録されている全領域の読み出し動作が完了したか否かが判定される。全主走査線の数は例えば２０００であり、例えばステップＳ２３３においてカウントアップされるカウンタを設け、このカウンタの値を判定することにより行われる。Ｒ画像の読み出しが完了していない場合、ステップＳ２３１へ戻り、上述した動作が繰り返される。
【００７１】
このように本実施形態では、電子現像型記録媒体３０が所定時間の停止と所定量の移動とを繰り返すと共に、電子現像型記録媒体３０の停止時にラインセンサがスキャナ光学系４３を介して第１、第２の領域３０ａ、３０ｂ上の記録像を順次走査することにより各々の領域上の像に対応した画像信号が読み出される。
【００７２】
ステップＳ２４１においてＲ画像の全主走査線の読み出しが完了したと判定されると、ステップＳ２４２において記録媒体送り駆動信号が出力されてスキャナ系駆動モータ４６が正転し、電子現像型記録媒体３０がさらに下降する。ステップＳ２４３では、電子現像型記録媒体３０の移動によりＧ画像の最初の主走査線ＰＧが読出し面Ｐに達したか否かが判定され、Ｇ画像の最初の主走査線ＰＧが読出し面Ｐに達したことが検出されると、ステップＳ２４４において記録媒体送り駆動信号の出力が停止され、スキャナ系駆動モータ４６が停止される（Ｔ２４４）。
【００７３】
なお、Ｇ画像の露出量は、基準となる所定の露出量（電荷蓄積時間）であり、ここではステップＳ２２１の場合のように露出量を補正する必要はない。
【００７４】
以下、ステップＳ２５１〜Ｓ２６４では、上述したステップＳ２３１〜Ｓ２４４と同様にしてＧ画像の全主走査線の読み出し動作が行われる。Ｇ画像の全主走査線の読み出しが完了すると、ステップＳ２６５ではＲ画像の場合と同様にして前述の複数の色成分の比を示す露光パターンから解読したＢ／Ｇのデータに基づいてＢ画像の露出量（電荷蓄積時間）が設定される（Ｔ２６５）。
【００７５】
ステップＳ２７１〜Ｓ２８１では、上述したステップＳ２３１〜Ｓ２４１と同様にしてＢ画像の全ラインの読み出しが行われ、ステップＳ２８１において、Ｂ画像の全ラインの読み出しが完了、すなわち被写体像の全画像の読み出しが完了したと判定されると、ステップＳ２８２においてラインセンサ４４の駆動電源がオフ状態に切り換えられるとともに（Ｔ２８２）、ステップＳ２８３において光源４２が消灯される（Ｔ２８３）。また、シャッタ２２が閉塞され、記録媒体送り駆動信号が出力されて、上記ステップＳ２８４において電子現像型記録媒体３０が記録媒体挿入口１９の方へ排出移動し始める（Ｔ２８４）。ステップＳ２８５では光源駆動モータ９４が駆動し、光源４２が、初期位置である撮像位置への移動を開始する（Ｔ２８５）。
【００７６】
ステップＳ２８６において電子現像型記録媒体３０が排出完了位置（例えば電子現像型記録媒体３０の一部が記録媒体挿入口１９より外部の臨んでいる状態）に達したことが確認されると、ステップＳ２８７において記録媒体送り駆動信号の出力が停止され（Ｔ２８７）、電子現像型記録媒体３０が排出完了位置に定められる。ステップＳ２８８において光源４２が初期位置に復帰したことが確認されると、ステップＳ２８９において光源駆動モータ９４が停止して光源４２の移動が停止する（Ｔ２８９）。例えば光源の初期位置の検知動作は、光源４２の一部がフォトインタラプタ（図示せず）を横切ることによって出力される信号に基づいて行われる。
【００７７】
このように本実施形態では、第２記録領域３０ｂに記録されている露光パターンに基づいて第１記録領域３０ａに記録されている被写体像が読み出されるため、ホワイトバランス調整の行われた良好な画像が得られる。
【００７８】
また撮影条件に関する情報が直接第２記録領域３０ｂに記録されているため、この情報を被写体像と同様にして読み出すことができ、装置が簡素化される。
【００８０】
【発明の効果】
以上のように本発明によれば、撮像された被写体像を感光性の記録媒体に記録し、さらに撮影条件の情報をその記録媒体に記録できる、簡単な構成を有する画像入力装置が得られる。
【図面の簡単な説明】
【図１】本発明の一実施形態を適用したスチルビデオカメラの外観図である。
【図２】図１のスチルビデオカメラの回路構成を示すブロック図である。
【図３】図２の記録ユニット近傍の構成を示す図である。
【図４】本実施形態の要部の構成を示す斜視図である。
【図５】光源近傍の構成図である。
【図６】記録パターン部の配列を示す図である。
【図７】電子現像型記録媒体の構成を示す図である。
【図８】撮像動作を示すタイミングチャートである。
【図９】撮像動作を示すフローチャートである。
【図１０】撮像動作を示すフローチャートである。
【図１１】撮像動作を示すフローチャートである。
【図１２】読み出し動作を示すタイミングチャートである。
【図１３】読み出し動作を示すフローチャートである。
【図１４】読み出し動作を示すフローチャートである。
【図１５】読み出し動作を示すフローチャートである。
【図１６】読み出し動作を示すフローチャートである。
【図１７】読み出し動作を示すフローチャートである。
【符号の説明】
１１  カメラ本体
１２  撮像光学系
１８  測色センサ
２０  システムコントロール回路
３０  電子現像型記録媒体
３０ａ  第１記録領域
３０ｂ  第２記録領域
４２  光源
４４  ラインセンサ
９１  記録パターン部
９２  コリメータレンズアレイ
【図１】
0003641299.tif 000002
【図２】
0003641299.tif 000003
【図３】
0003641299.tif 000004
【図４】
0003641299.tif 000005
【図５】
0003641299.tif 000006
【図６】
0003641299.tif 000007
【図７】
0003641299.tif 000008
【図８】
0003641299.tif 000009
【図９】
0003641299.tif 000010
【図１０】
0003641299.tif 000011
【図１１】
0003641299.tif 000012
【図１２】
0003641299.tif 000013
【図１３】
0003641299.tif 000014
【図１４】
0003641299.tif 000015
【図１５】
0003641299.tif 000016
【図１６】
0003641299.tif 000017
【図１７】
0003641299.tif 000018